(57)【特許請求の範囲】
【請求項１】
互いに回動可能に軸支される第１，第２の筐体と、第１の筐体と第２の筐体を開いた状態で保持する保持手段とを有し、
前記保持手段は、第１の筐体の軸部分に設けられ、第１の筐体の回動に連動する凸部または凹部を有した第１保持部材と、第２の筐体の軸部分に設けられ、第２の筐体に連動する連結部と、該連結部に遊嵌され、前記第１保持部材の凸部または凹部に係合可能な凹部または凸部を有した第２保持部材とからなり、第２の筐体を開いたとき、前記連結部の回動に押されて前記第２保持部材も回動し、該第２保持部材の凹部または凸部が前記第１保持部材の凸部または凹部に係合すると共に、該係合するときの付勢力により前記第２保持部材が前記連結部との隙間分だけ回動し、該連結部と衝突するようにしたものに於いて、前記隙間を４０μｍ以上にしたことを特徴とする折畳式携帯電話装置。
【発明の詳細な説明】
【０００１】
【産業上の利用分野】
本発明は、開閉のクリックを行う折畳式携帯電話装置に関する。
【０００２】
【従来の技術】
現在、送話部と受話部を折り畳んだ携帯電話装置が市販されている。この折畳式携帯電話装置は開いた位置、あるいは折り畳んだ位置で固定するようにクリックを与えている（特開平１１−６８９０１号公報参照）。
【０００３】
【発明が解決しようとする課題】
しかしながら、使用者が不十分な開閉操作によりクリック位置まで開閉されなかった場合は、開閉の固定がなされないために、携帯電話装置が不用意に開閉することとなる。このために、大きなクリック音を発生させる必要があった。
【０００４】
【課題を解決するための手段】
本発明の折畳式携帯電話装置はかかる点に鑑みなされたもので、互いに回動可能に軸支される第１，第２の筐体と、第１の筐体と第２の筐体を開いた状態で保持する保持手段とを有し、
前記保持手段は、第１の筐体の軸部分に設けられ、第１の筐体の回動に連動する凸部または凹部を有した第１保持部材と、第２の筐体の軸部分に設けられ、第２の筐体に連動する連結部と、該連結部に遊嵌され、前記第１保持部材の凸部または凹部に係合可能な凹部または凸部を有した第２保持部材とからなり、
第２の筐体を開いたとき、前記連結部の回動に押されて前記第２保持部材も回動し、該第２保持部材の凹部または凸部が前記第１保持部材の凸部または凹部に係合すると共に、該係合するときの付勢力により前記第２保持部材が前記連結部との隙間分だけ回動し、該連結部と衝突するようにしたものに於いて、前記隙間を４０μｍ以上にする。
【０００６】
【発明の実施の形態】
本発明の実施例の形態を図に基づき説明する。図１は本発明の実施例の折畳式携帯電話装置の要部を示す斜視図である。図２は図1の受話部の筐体（１）と送話部の筐体（２）を分離させた斜視図である。
【０００７】
図２に於いて、▲１▼〜▲５▼の番号は組立工程の順序を示す。まず、受話部の筐体（１）の左右の軸受け部（１ａ）（１ｂ）に同じ伝動リング（３）（３）が挿入される（図２の▲１▼，▲２▼）。受信部の筐体（１）の左右の軸受け部（１ａ）（１ｂ）の材質はプラスチック（ナイロンとＡＢＳ樹脂の混合）であり、伝動リング（３）の材質は金属（アルミニウム）である。その嵌合形状は円を平行線で切り取った形状をしており、互いに、回転を伝動するようになっている。この嵌合隙間はできるだけ小さく設計される。
次に、受話部の筐体（１）の左右の軸受け部（１ａ）（１ｂ）と送話部の筐体（２）の左右の軸受け部（２ａ）（２ｂ）を合わせる（図２の▲３▼）。そして、送話部の筐体（２）の左右の軸受け部（２ａ）（２ｂ）よりクリック機能を備えた同じ軸（４）（４）が挿入される（図２の▲４▼，▲５▼）。
【０００８】
次に、軸（４）について説明する。図３と図４は軸（４）の分解斜視図であり、夫々視点が左右異なっている。図５は組み立てられた状態の軸（４）の断面図である。尚、組み立てられた状態の軸（４）の斜視図は図６の右方に示されている。
【０００９】
軸（４）のキャビネット（４１）は金属のシャフト（４１１）を有する。このシャフト（４１１）に、内コイルスプリング（４２）、外コイルスプリング（４３）、凸リング（４４）、凹リング（４５）、抜け止めリング（４６）、ワッシャ（４７）の順で挿入される。そして、図５に示す如く、シャフト（４１１）の先端はカシメにより抜け止め処理がされる。
【００１０】
図５に示す如く、内コイルスプリング（４２）は外スプリング（４３）の内側に挿入される。内コイルスプリング（４２）と外コイルスプリング（４３）は凸リング（４４）を凹リング（４５）の方向に付勢し、常に凸リング（４４）を凹リング（４５）に圧接させる。
【００１１】
凸リング（４４）の凸部（４４ａ）（４４ａ）の一部がキャビネット（４１）の切欠き部（４１ａ）（４１ａ）に滑動可能に係合される。これにより、凸リング（４４）は内コイルスプリング（４２）と外コイルスプリング（４３）の付勢に抗して軸方向に滑動可能であり、また、凸リング（４４）とキャビネット（４１）は互いに回転を伝動する。尚、凸リング（４４）の材質は金属であり、これと係合するキャビネット（４１）の切欠き部（４１ａ）（４１ａ）はプラスチックである。この係合に於ける回転方向の隙間はできるだけ小さく設計される。僅かの隙間があったとしても、内コイルスプリング（４２）と外コイルスプリング（４３）の巻き方向は互いに逆向きになっており、スプリングの伸縮による回転が相殺され、凸リング（４４）は回転しにくくなっている。
【００１２】
凹リング（４５）の材質は金属であり、凸リング（４４）に対して相対的に回転可能に軸支されている。凹リング（４５）は、凹リング（４５）と凸リング（４４）が相対的に所定の角度をなしたときに、凸リング（４４）の凸部（４４ａ）（４４ａ）と嵌合する凹部（４５ａ）（４５ａ）を有する。この嵌合については詳細に後述する。
【００１３】
抜け止めリング（４６）は軸（４）が抜けることを防止するためのＥ型止め輪（図５の５）が挿入される溝（４６ａ）を有する。
【００１４】
図２の▲４▼，▲５▼に於いて、送話部の筐体（２）の左右の軸受け部（２ａ）（２ｂ）より軸（４）（４）が挿入されると、送話部の筐体（２）の左右の軸受け部（２ａ）（２ｂ）と軸（４）（４）のキャビネット（４１）（４１）が嵌合する。軸受け部（１ａ）（１ｂ）の材質はプラスチック（ナイロンとＡＢＳ樹脂の混合）であり、キャビネット（４１）の嵌合部分もプラスチック（ＡＢＳ樹脂）である。その嵌合は圧入であり、隙間はない。
【００１５】
また、軸（４）（４）が挿入されると、図６，図７に示す如く、軸（４）の凹リング（４５）と伝動リング（３）が嵌合する。この嵌合は、回転軸方向に対して、約１．５度（直径４ｍｍで約５０μｍ）の隙間を有している。
【００１６】
そして、軸（４）（４）が挿入されると、受話部の筐体（１）の左右の軸受け部（１ａ）（１ｂ）と送話部の筐体（２）の左右の軸受け部（２ａ）（２ｂ）を貫通した軸（４）（４）に止め輪（図５の５）が挿入される。
【００１７】
上述の構成により、受話部の筐体（１）と送話部の筐体（２）が回動可能に軸支される。
【００１８】
次に、クリックの動作について説明する。
【００１９】
図８は凸リング（４４）の２つの凸部（４４ａ）（４４ａ）の形状を示す図である。図８の（ａ）は凸リング（４４）を所定の半径の円周で切断した断面を示す斜視図である。図８の（ｂ）は（ａ）に示した断面の斜視図をわかり易く説明する斜視図である。図８の（ｃ）は断面を展開した平面図である。
【００２０】
凸リング（４４）の２つの凸部（４４ａ）（４４ａ）は回転軸に対して点対称になっている。そして、図８に示す如く、凸部（４４ａ）（４４ａ）の立ち上がり（４４ｂ）（４４ｂ）は傾斜をなしている。
【００２１】
図９は凹リング（４５）の２つの凹部（４５ａ）（４５ａ）の形状を示す図である。図９の（ａ）は凹リング（４５）を所定の半径の円周で切断した断面を示す斜視図である。図９の（ｂ）は（ａ）に示した断面の斜視図をわかり易く説明する斜視図である。図９の（ｃ）は断面を展開した平面図である。
【００２２】
凹リング（４５）の凹部（４５ａ）（４５ａ）は凸リング（４４）の２つの凸部（４４ａ）（４４ａ）と嵌合する形状になっている。従って、凹部（４５ａ）（４５ａ）の立ち上がり（４５ｂ）（４５ｂ）は傾斜をなしている。
【００２３】
図１０はクリックの動作を示す図である。図１０に於いて、（ａ）〜（ｆ）の左図は凹リング（４５）と凸リング（４４）の嵌合の状態を示す展開図（展開図については図８，図９を参照）であり、右図は軸（４）の凹リング（４５）と伝動リング（３）の嵌合状態を示す図である。尚、図１０の左図には図示しないが、図５に図示する如く、内コイルスプリング（４２）と外コイルスプリング（４３）が常に凸リング（４４）を凹リング（４５）に圧接させる。
【００２４】
図１０の（ａ）は受話部の筐体（１）と送話部の筐体（２）を閉じた初期状態を示す。初期状態では、凹リング（４５）の凹部（４５ａ）が凸リング（４４）の凸部（４４ａ）に完全に嵌入している。このとき、凹リング（４５）と伝動リング（３）の隙間は左右均等になっている。
【００２５】
（ｂ）は開き始めの状態を示す図である。例えば、使用者が左手で送話部の筐体（２）を保持して、右手で受話部の筐体（１）を開き始めたとすると、受話部の筐体（１）が回転することにより、伝動リング（３）が回転する（図１０の（ｂ）の▲１▼）。これにより、左右均等にあった伝動リング（３）と凹リング（４５）の隙間が伝動リング（３）の回転方向に移動し、やがて、伝動リング（３）が凹リング（４５）を回転させる（（ｂ）の右図の▲２▼）。凹リング（４５）が回転すると、即ち、（ｂ）の左図で凹リング（４５）が右に移動すると、凹リング（４５）と凸リング（４４）の傾斜になっている立ち上がり（４５ｂ）（４４ｂ）部分の分力により、内コイルスプリング（４２）と外コイルスプリング（４３）の付勢に抗して凸リング（４４）が下方に移動する（（ｂ）の▲３▼）。
【００２６】
（ｃ）に示す如く、凸リング（４４）は、傾斜の面の当接が終了するまで、即ち、凹リング（４５）の凹部（４５ａ）が凸リング（４４）の凸部（４４ａ）より離脱するまで下方へ移動する。
【００２７】
（ｄ）に示す如く、凹リング（４５）のもう一方の凹部（４５ａ）が凸リング（４４）の凸部（４４ａ）に嵌入し始める直前の位置まで、受話部の筐体（１）が開かれる。
【００２８】
（ｅ）はクランプ音を発生する状態を示す図である。（ｄ）の状態から更に受話部の筐体（１）が開かれると、（ｅ）の左図に示す如く、凹リング（４５）のもう一方の凹部（４５ａ）が凸リング（４４）の凸部（４４ａ）に嵌入し始め、傾斜になっている凹リング（４５）と凸リング（４４）の立ち上がり（４５ｂ）（４４ｂ）が当接する（ｅ）の▲１▼，▲２▼）。すると、左図に於いて、内コイルスプリング（４２）と外コイルスプリング（４３）の付勢により、凸リング（４４）が上方に移動し（（ｅ）の▲１▼）、凹リング（４５）が右方（受話部の筐体（１）が開く方向）に移動する（（ｅ）の▲２▼）。
【００２９】
右図に於いて、凹リング（４５）が右回転することから、回転方向にあった伝動リング（３）と凹リング（４５）の隙間がなくなり、伝動リング（３）と凹リング（４５）が当たる。この当たる速度はスプリングによるものであり、早い。また、双方の材質が金属であるために音が発生する。隙間が大きい程大きい音となるが、隙間が大きくなれば、クリックによる保持のガタつきが大きくなる。
そこで、本発明はこの隙間を約５０μｍにしている。通常の金属同士の嵌合であれば、設計上の嵌合隙間を零にして、挿入物の寸法公差を＋０ｍｍ、−Ａ（Ａは許容される費用の加工精度。例えば、０．０２ｍｍ）、被挿入物の寸法公差を＋Ｂ（Ｂは許容される費用の加工精度。例えば、０．０３ｍｍ）、−０ｍｍにする。この指定によって製造される嵌合の隙間は、通常は２０μｍ程度である。本発明は、通常の嵌合隙間より大きい隙間を有することで、大きなクリック音を発生させており、４０μｍ以上の嵌合隙間が好ましい。また、双方の材質が金属であることは、大きな音を発生させるだけでなく、クリックの衝撃による耐久性を向上させる効果もある。
【００３０】
そして、（ｆ）に示す如く、凹リング（４５）のもう一方の凹部（４５ａ）が凸リング（４４）の凸部（４４ａ）に完全に嵌入するまで、内コイルスプリング（４２）と外コイルスプリング（４３）の付勢により凹リング（４５）が回転し、伝動リング（３）が回転する。この凹リング（４５）と凸リング（４４）の嵌合により開いた状態が保持される。即ち、折畳式携帯電話装置を開いたときのクリックを与える。
【００３１】
尚、折畳式携帯電話装置を閉じたときのクリック音も、同様の原理で凹リング（４５）の凹部（４５ａ）と凸リング（４４）の凸部（４４ａ）が嵌合していくときに発生する。
【００３２】
【発明の効果】
上述の如く、本発明は、クリックのときに当接する嵌合部の嵌合隙間を通常より大きくとることにより、また、双方の材質を金属にすることにより、大きなクリック音を発生させることができる。クリック音を大きくすることにより、使用者が折畳式携帯電話装置のクリック状態（保持状態）を確認し易くなる。
【図面の簡単な説明】
【図１】本発明の要部を示す斜視図である。
【図２】図１の分解斜視図である。
【図３】軸の一方から見た斜視図である。
【図４】軸の他方から見た斜視図である。
【図５】軸の断面図である。
【図６】軸と伝動リングの嵌合を示す斜視図（嵌合前）である。
【図７】軸と伝動リングの嵌合を示す斜視図（嵌合後）である。
【図８】凸リングの凸部の断面を示す図である。
【図９】凹リングの凹部の断面を示す図である。
【図１０】クリックの動作を示す図である。
【符号の説明】
１      受話部の筐体
２      受話部の筐体
３      伝動リング
４      軸
４２    軸の内コイルスプリング
４３    軸の外コイルスプリング
４４    軸の凸リング
４４ａ  軸の凸リングの凸部
４４ｂ  軸の凸リングの凸部の立ち上り
４５    軸の凹リング
４５ａ  軸の凹リングの凹部
４５ｂ  軸の凹リングの凹部の立ち上り
４６    抜け止めリング
【図１】
0004056215.tif 000002
【図２】
0004056215.tif 000003
【図３】
0004056215.tif 000004
【図４】
0004056215.tif 000005
【図５】
0004056215.tif 000006
【図６】
0004056215.tif 000007
【図７】
0004056215.tif 000008
【図８】
0004056215.tif 000009
【図９】
0004056215.tif 000010
【図１０】
0004056215.tif 000011